(57)【要約】      （修正有）【課題】二重接続において、ユーザ機器（ＵＥ）が基地局に電力ヘッドルーム（ＰＨＲ）を報告し、基地局（ｅＮＢ）がＵＥに複数のアップリンク無線リソースを効率的に割り当てる方法を提供する。【解決手段】ＵＥは第１及び第２のｅＮＢによって提供される各無線セルにおいて二重接続モードで動作するよう適合する。ＵＥは、第１及び第２の無線セルにおける同時動作に関連付けられた各電力ヘッドルーム（「ＰＨＲ」）値を推定するよう適合させられる。ＵＥは、第１及び第２のＰＨＲ推定値が第１及び第２のｅＮＢの両方に送信されるようにする。第１及び第２のｅＮＢは、これら推定値を使用して、ＵＥのための各アップリンク送信電力を計算する。【選択図】図８
2019017092.tif 000002
【特許請求の範囲】
【請求項１】
ユーザ機器（「ＵＥ」）に含まれる装置であって、
第１のｅＮＢによって提供される第１の無線プライマリセル（「ＰＣｅｌｌ」）及び第２のｅＮＢによって提供される第２の無線ＰＣｅｌｌで同時に動作し、前記第１の無線ＰＣｅｌｌに関連付けられた電力ヘッドルーム（「ＰＨＲ」）の第１の推定値及び前記第２の無線ＰＣｅｌｌに関連付けられたＰＨＲの第２の推定値を計算する処理回路と、
前記処理回路に連結され、前記第１の推定値及び前記第２の推定値を送信する送信回路とを備える
装置。
【請求項２】
前記送信回路は前記第１のｅＮＢに前記第２の推定値を送信する、
請求項１に記載の装置。
【請求項３】
前記送信回路は前記第２のｅＮＢに前記第２の推定値を送信する、
請求項１に記載の装置。
【請求項４】
前記送信回路は更に、前記第２のｅＮＢに前記第１の推定値を送信する、
請求項１に記載の装置。
【請求項５】
前記処理回路は予め決定されたイベントを検出し、更に、前記送信回路は、前記予め決定されたイベントの前記検出に基づいて前記第１の推定値及び前記第２の推定値を送信する、
請求項１から４の何れか一項に記載の装置。
【請求項６】
前記予め決定されたイベントは、前記第１の無線ＰＣｅｌｌ及び前記第２の無線ＰＣｅｌｌにおける動作と同時の第３の無線セルにおける前記処理回路による前記動作のうちの少なくとも１つに関連付けられる、
請求項５に記載の装置。
【請求項７】
前記予め決定されたイベントは、前記処理回路による前記第２の無線ＰＣｅｌｌにおける前記動作の終了に関連付けられる、
請求項５に記載の装置。
【請求項８】
前記予め決定されたイベントは、前記第１の無線ＰＣｅｌｌにおける前記動作に関連付けられた第１のタイマの満了、又は、前記第２の無線ＰＣｅｌｌにおける前記動作に関連付けられた第２のタイマの満了に関連付けられる、
請求項５に記載の装置。
【請求項９】
前記予め決定されたイベントは、閾値を超えるパスロス値に更に関連付けられる、
請求項６に記載の装置。
【請求項１０】
前記予め決定されたイベントは、前記第１のｅＮＢに前記第１の推定値を送信することを求める要求の受信に関連付けられ、前記装置は、
前記処理回路と連結され、前記第１のｅＮＢに前記第１の推定値を送信することを求める前記要求を受信する受信回路を更に備える、
請求項５に記載の装置。
【請求項１１】
前記処理回路は更に、送信電力が最大値に達したことを検出し、更に、前記送信回路は、前記送信電力が前記最大値に達したという指標を前記第１のｅＮＢに送信する、
請求項１から４の何れか一項に記載の装置。
【請求項１２】
進化型ノードＢ（「ｅＮＢ」）に含まれる装置であって、
前記ｅＮＢとユーザ機器（「ＵＥ」）との間の通信に関連付けられた第１の電力ヘッドルーム（「ＰＨＲ」）値及び別のｅＮＢと前記ＵＥとの間の通信に関連付けられた第２のＰＨＲ値を受信する受信回路と、
前記受信回路に連結され、前記第１のＰＨＲ値及び前記第２のＰＨＲ値に基づいて前記ｅＮＢと前記ＵＥとの間の前記通信に関連付けられたアップリンク送信電力を決定する処理回路と、
前記処理回路に連結され、前記ＵＥに前記アップリンク送信電力の指標を送信する送信回路とを備える
装置。
【請求項１３】
前記処理回路は、前記ｅＮＢに、理想的ではないバックホールを介して他のｅＮＢに接続させる、
請求項１２に記載の装置。
【請求項１４】
前記受信回路は更に、前記ＵＥが最大送信電力に達したという指標を受信し、前記アップリンク送信電力の前記決定は更に前記指標に基づく、
請求項１２に記載の装置。
【請求項１５】
前記受信回路は、前記第１のＰＨＲ値及び前記第２のＰＨＲ値のうちの少なくとも１つを前記ＵＥから受信する、
請求項１２から１４の何れか一項に記載の装置。
【請求項１６】
前記受信回路は、前記第１のＰＨＲ値及び前記第２のＰＨＲ値のうちの少なくとも１つを、Ｘ２インターフェースを使用して他のｅＮＢから受信する、
請求項１２から１４の何れか一項に記載の装置。
【請求項１７】
前記送信回路は、前記第１のＰＨＲ値及び前記第２のＰＨＲ値のうちの少なくとも１つを、Ｘ２インターフェースを使用してその他のｅＮＢに送信する、
請求項１２から１４の何れか一項に記載の装置。
【請求項１８】
前記処理回路は、前記ＵＥが前記第１のＰＨＲ値及び前記第２のＰＨＲ値を送信することを求める要求を生成し、更に、前記送信回路は前記ＵＥに前記要求を送信する、
請求項１２から１４の何れか一項に記載の装置。
【請求項１９】
前記処理回路は、少なくとも１つのタイマに関連付けられた少なくとも１つの期間、及び少なくとも１つのパスロス閾値を決定し、更に、前記送信回路は、前記ＵＥによるＰＨＲ値報告の決定のために前記ＵＥに前記少なくとも１つの期間及び前記少なくとも１つのパスロス閾値を送信する
請求項１２から１４の何れか一項に記載の装置。
【請求項２０】
コンピューティングデバイスが実行可能な複数の命令を備える１又は複数の非一時的コンピュータ可読媒体であって、前記複数の命令は、ユーザ機器（「ＵＥ」）による実行に応答して、前記ＵＥに、
第１の進化型ノードＢ（「ｅＮＢ」）によって提供される第１の無線セルにおいてデュアルコネクティビティモードで動作させ、
前記第１の無線セルにおける前記動作と同時に、第２のｅＮＢによって提供される第２の無線セルで動作させ、
前記第１の無線セルに関連付けられた第１の電力ヘッドルーム（「ＰＨＲ」）値を計算させ、
前記第２の無線セルに関連付けられた第２のＰＨＲ値を計算させ、
前記第１のｅＮＢ又は前記第２のｅＮＢのうちの少なくとも１つに前記第１のＰＨＲ値を送信させ、前記第１のｅＮＢ又は前記第２のｅＮＢのうちの少なくとも１つに前記第２のＰＨＲ値を送信させる、
１又は複数の非一時的コンピュータ可読媒体。
【請求項２１】
前記複数の命令は、更に、前記ＵＥに、
前記ＵＥと前記第１のｅＮＢとの間のアップリンク通信に関連付けられた送信電力の指標を前記第１のｅＮＢから受信させ、
前記指標に基づいて、前記第１のｅＮＢに前記アップリンク通信に関連付けられた送信電力を調整させる、
請求項２０に記載の１又は複数の非一時的コンピュータ可読媒体。
【請求項２２】
前記複数の命令は、更に、前記ＵＥに、予め決定されたイベントを検出させ、更に、前記第１のＰＨＲ値の前記送信は前記予め決定されたイベントの前記検出に基づく、
請求項２０に記載の１又は複数の非一時的コンピュータ可読媒体。
【請求項２３】
コンピューティングデバイスが実行可能な複数の命令を備える１又は複数の非一時的コンピュータ可読媒体であって、前記複数の命令は、進化型ノードＢ（「ｅＮＢ」）による実行に応答して、前記ｅＮＢに、
前記ｅＮＢとユーザ機器（「ＵＥ」）との間の通信に関連付けられた第１の電力ヘッドルーム（「ＰＨＲ」）値を受信させ、
別のｅＮＢと前記ＵＥとの間の通信に関連付けられた第２のＰＨＲ値を受信させ、
前記第１のＰＨＲ値及び前記第２のＰＨＲ値に基づいて、前記ｅＮＢと前記ＵＥとの間の前記通信に関連付けられた送信電力値を計算させ、
前記ＵＥに前記送信電力値の指標を送信させる、
１又は複数の非一時的コンピュータ可読媒体。
【請求項２４】
前記複数の命令は、更に、前記ＵＥが最大送信電力に達したという指標を前記ｅＮＢに受信させ、更に、アップリンク送信電力の前記計算は、更に前記指標に基づく、
請求項２３に記載の１又は複数の非一時的コンピュータ可読媒体。
【請求項２５】
前記複数の命令は、更に、前記ｅＮＢに、Ｘ２インターフェースを介して他のｅＮＢと前記第１のＰＨＲ値及び前記第２のＰＨＲ値のうちの少なくとも１つを通信させる
請求項２３に記載の１又は複数の非一時的コンピュータ可読媒体。
【発明の詳細な説明】
【技術分野】
【０００１】
［関連出願の相互参照］
本願は、「ＡＤＶＡＮＣＥＤ  ＷＩＲＥＬＥＳＳ  ＣＯＭＭＵＮＩＣＡＴＩＯＮ  ＳＹＳＴＥＭＳ  ＡＮＤ  ＴＥＣＨＮＩＱＵＥＳ」と題する２０１４年１月６日に出願された米国仮特許出願第６１／９２４，１９４号に基づく優先権を主張する、「ＰＯＷＥＲ  ＨＥＡＤＲＯＯＭ  ＲＥＰＯＲＴＩＮＧ  ＷＩＴＨ  ＤＵＡＬ  ＣＯＮＮＥＣＴＩＶＩＴＹ」と題する２０１４年９月２４日に出願された米国特許出願第１４／４９５，７２９号に基づく優先権を主張し、それらの開示は参照によって本明細書に組み込まれる。
【０００２】
本発明の複数の実施形態は、概してデータ処理の技術分野に関し、より具体的には、ネットワークによってデータを通信すべく動作可能なコンピュータデバイスに関する。
【背景技術】
【０００３】
本明細書において提供される背景技術の説明は、概して本開示の背景を提示する目的のものである。現在名を挙げられている発明者らの研究は、この背景技術の章において説明される範囲において、出願時に別途従来技術としてみなされ得ない説明の複数の態様とともに、明示的にも暗示的にも本開示に対する従来技術とは認められない。本明細書において別段の指示が無い限り、本章で説明される複数の手法は、本開示の中の複数の請求項に対する従来技術ではなく、本章にそれらが含まれることによって従来技術と認められるものではない。
【０００４】
基地局との通信において、ユーザ機器（「ＵＥ」）は、基地局への送信のための複数のアップリンクリソースに与える有限の量の電力を有する。ロングタームエボリューション（「ＬＴＥ」）などのいくつかの規格に従って、基地局は、ＵＥが複数のアップリンク無線リソースを効率的に割り当てる、又は管理するのを補助し得る。基地局が補助するために、ＵＥは、１又は複数のアップリンク制御チャネルで基地局に自身の電力ヘッドルーム（「ＰＨＲ」）を報告し得る。基地局は、それから、ＵＥがその最大送信電力に到達する前に使用可能であるだろうサブフレーム毎のアップリンク帯域幅がどの程度広いか、又は狭いかを決定するであろう。
【図面の簡単な説明】
【０００５】
本発明の複数の実施形態は、複数の添付図面の複数の図において例として示されるのであって、限定するために示されるのではない。添付図面において、同様の参照番号は同様の要素を示す。本開示における発明の一（「ａｎ」又は「ｏｎｅ」）実施形態への複数の参照は、必ずしも同一の実施形態を参照しているのではなく、それらは少なくとも１つの実施形態を意味し得ることが留意されるべきである。
【０００６】
【図１】様々な実施形態による、ＵＥがデュアルコネクティビティに適合させられ得る環境を示すブロック図である。
【図２】様々な実施形態による、二重に接続されたＵＥにサービス提供をするための２つのｅＮＢのアーキテクチャを示すブロック図である。
【図３】様々な実施形態による、二重に接続されたＵＥにサービス提供するための２つのｅＮＢの他のアーキテクチャを示すブロック図である。
【図４】様々な実施形態による、二重接続モードで動作し得るＵＥのアーキテクチャを示すブロック図である。
【図５】様々な実施形態による、二重接続モードで動作し得るＵＥの別のアーキテクチャを示すブロック図である。
【図６】様々な実施形態による、媒体アクセス制御（「ＭＡＣ」）制御要素を示すブロック図である。
【図７】様々な実施形態による、二重接続モードで動作し得るＵＥに適合させられたＭＡＣ制御要素を示すブロック図である。
【図８】様々な実施形態による、デュアルコネクティビティに関連付けられた複数のＰＨＲ値を推定するための方法を示すフロー図である。
【図９】様々な実施形態による、１又は複数のイベントを検出することに基づいて第１及び第２の推定されたＰＨＲ値を送信するための方法を示すフロー図である。
【図１０】様々な実施形態による、デュアルコネクティビティに適合させられたＵＥに関連付けられたアップリンク送信電力を計算するための方法を示すフロー図である。
【図１１】様々な実施形態による、無線通信ネットワークにおいて動作するよう適合させられたコンピューティングデバイスを示すブロック図である。
【図１２】様々な実施形態による、送信デバイスを示すブロック図である。
【発明を実施するための形態】
【０００７】
以下の詳細な説明において、本明細書の一部を形成する複数の添付図面を参照する。全体を通して同様の数字は同様の部分を指定し、実施され得る複数の実施形態が例として示される。複数の他の実施形態が用いられてよく、構造的又は論理的な複数の変更が本開示の範囲から逸脱することなく成され得ることが理解されるべきである。従って、以下の詳細な説明は限定的な意味に解釈されるべきでなく、複数の実施形態の範囲は添付の特許請求の範囲及びそれらの均等物によって定義される。
【０００８】
様々な動作が、特許請求された主題を理解する上で最も役立つやり方で、複数の個別のアクション又は動作として順に説明され得る。しかしながら、説明の順序は、これらの動作が必ず順序に依存することを暗示していると解釈されるべきではない。特に、これらの動作は、提示の順序で実行されなくてもよい。説明される複数の動作は、説明された複数の実施形態とは異なる順序で実行されてよい。様々な追加の動作が実行されてよく、及び／又は、説明された複数の動作は追加の複数の実施形態においては省略されてよい。
【０００９】
本開示の目的のために、「Ａ又はＢ」及び「Ａ及び／又はＢ」という句は、（Ａ）、（Ｂ）、又は（Ａ及びＢ）」を意味する。本開示の目的のために、「Ａ、Ｂ、及び／又はＣ」という句は、（Ａ）、（Ｂ）、（Ｃ）、（Ａ及びＢ）、（Ａ及びＣ）、（Ｂ及びＣ）、又は（Ａ、Ｂ、及びＣ）を意味する。
【００１０】
本説明は、「一実施形態において」又は「複数の実施形態において」という句を使用することがあり、それらはそれぞれ、同一の又は異なる複数の実施形態のうちの１又は複数を指し得る。更に、本開示の複数の実施形態に関して使用されるとき、「備える」、「含む」、「有する」等の用語は同義である。
【００１１】
本明細書において使用されるとき、「モジュール」及び／又は「ロジック」という用語は、１又は複数のソフトウェア又はファームウェアのプログラムを実行する特定用途向け集積回路（「ＡＳＩＣ」）、電子回路、プロセッサ（共有、専用、又はグループ）、及び／又はメモリ（共有、専用、又はグループ）、組み合わせ論理回路、及び／又は、説明された機能性を提供する他の適切な複数のハードウェアコンポーネントを指すか、これらの一部であるか、又はこれらを含み得る。
【００１２】
まず図１から始めると、ブロック図は、様々な実施形態による、ユーザ機器（「ＵＥ」）１２０がデュアルコネクティビティ（ｄｕａｌ  ｃｏｎｎｅｃｔｉｖｉｔｙ）に適合させられ得る環境１００を示す。ＵＥ１２０は、ブロードバンド回路が装備され、例えば１又は複数の第３世代パートナーシッププロジェクト（「３ＧＰＰ」）技術仕様に従ってセル（例えば、セル１１０）で動作するよう適合させられた任意のタイプのコンピューティングデバイスであってよい。例えば、ＵＥ１２０は、ネットブック、タブレットコンピュータ、ハンドヘルドコンピューティングデバイス、ウェブ対応電気器具、ゲーム装置、携帯電話、スマートフォン、ｅＢｏｏｋリーダ、パーソナル・データ・アシスタント、又は同様のものであってよい。別の実施形態において、ＵＥ１２０は、本来はユーザ通信（例えば、音声通話、テキスト／インスタントメッセージング、ウェブ閲覧）に適合させられていない、スマート計量装置、支払装置（例えば、「走行距離連動型支払（ｐａｙ−ａｓ−ｙｏｕ−ｄｒｉｖｅ）」装置）、自動販売機、テレマティクスシステム（例えば、車両の追跡及びトレースに適合させられたシステム）、セキュリティシステム（例えば、監視装置）、及び同様のものなどのコンピューティングデバイスであってよい。
【００１３】
複数の実施形態によると、ＵＥ１２０は、１又は複数の無線セル１１０、１３５で動作することによってシステム間通信用に設定され得る。ＵＥ１２０は、デュアルコネクティビティに適合させられ得るので、ＵＥ１２０は、２つの無線セル１１０、１３５で同時に動作することができ、それによって２つの進化型ノードＢ（「ｅＮＢ」）１０５、１３０がＵＥ１２０に複数の無線リソースを同時に提供する。複数の実施形態において、セル１１０、１３５の両方はプライマリセル（「ＰＣｅｌｌ」）であってよい。ＵＥ１２０は、両セル１１０、１３５において無線リソース制御（「ＲＲＣ」）接続（「ＲＲＣ＿Ｃｏｎｎｅｃｔｅｄ」）状態で同時に動作し得る。
【００１４】
第１の無線セル１１０は第１のｅＮＢ１０５によって提供され得る。デュアルコネクティビティにおいて、第１のｅＮＢ１０５は、マスタｅＮＢであってよく、従って、Ｓ１−モビリティ管理エンティティ（「ＭＭＥ」）インターフェースを終了し得る。更に、マスタｅＮＢ１０５は、コアネットワーク（図示せず）に対するモビリティアンカーとして機能し得る。マスタｅＮＢ１０５は、複数の小型セルなどの、マスタｅＮＢ１０５に関連付けられた他の複数のサービングセル（図示せず）を含むマスタセルグループ（「ＭＣＧ」）の一部であってよい。
【００１５】
第２の無線セル１３５が第２のｅＮＢ１３０によって提供され得る。デュアルコネクティビティにおいて、第２のｅＮＢ１３０はセカンダリｅＮＢであってよい。セカンダリｅＮＢは、ＵＥ１２０に無線リソースを提供するｅＮＢであってよいが、マスタｅＮＢではない。セカンダリｅＮＢ１３０は、低出力の無線アクセスノード１４０によって提供される小型セル１４５などの、セカンダリｅＮＢ１３５に関連付けられた他の複数のセカンダリセル（「ＳＣｅｌｌ」を含むセカンダリセルグループ（「ＳＣＧ」））の一部であってよい。複数の実施形態において、ＳＣＧのＰＣｅｌｌ１３５は、略語「ＰＳＣｅｌｌ」で呼ばれ得る。ＵＥ１２０のデュアルコネクティビティのために、マスタｅＮＢ１０５及びセカンダリｅＮＢ１３０は、理想的ではないバックホールを介して（例えば、Ｘ２インターフェースを介して）接続され得る。
【００１６】
ｅＮＢ１０５、１３０は、ロングタームエボリューション（「ＬＴＥ」）、ＬＴＥアドバンスト（「ＬＴＥ−Ａ」）、又は他の同様の規格などの１又は複数の規格に従う、例えば、第３世代（「３Ｇ」）、第４世代（「４Ｇ」）、第５世代（「５Ｇ」）、又はそれ以降のシステムの一部としてＵＥ１２０をコアネットワークに接続し得る。
【００１７】
ＵＥ１２０はアップリンクデータをマスタｅＮＢ１０５及びセカンダリｅＮＢ１３０の両方に送信し得る。しかしながら、ＵＥ１２０の送信電力は、例えば、ＵＥ１２０内の送信回路の性能によって、及び／又は、干渉に関して考慮すべきことによって制約されることがある。従って、ＵＥ１２０は自身の電力ヘッドルーム（「ＰＨＲ」）を計算又は推定するよう適合させられ得る。ＰＨＲは、（現在の送信によって使用されている電力に加えて）ＵＥ１２０が使用するのに残されている送信電力であり得る。
【００１８】
様々な実施形態において、ＵＥ１２０は２つのタイプのＰＨＲ値：タイプ１及びタイプ２を推定するよう適合させられ得る。タイプ１のＰＨＲは物理アップリンク共有チャネル（「ＰＵＳＣＨ」）の送信電力を考慮する。タイプ２のＰＨＲは、ＰＵＳＣＨ及び物理アップリンク制御チャネル（「ＰＵＣＣＨ」）の送信電力を考慮する。タイプ２のＰＨＲは複数のＰＣｅｌｌを提供するｅＮＢに報告されるのみであってよい。
【００１９】
ｅＮＢ１０５、１３０のそれぞれにおいて、複数のＰＨＲ値は、ＵＥ１２０の名目上の最大送信電力と、アクティブ化されたサービングセル毎のアップリンク共有チャネル（「ＵＬ−ＳＣＨ」）送信の推定電力との差に関連付けられた情報を提供する。複数のＰＨＲ値は、ＵＥ１２０の名目上の最大送信電力と、複数のＰＣｅｌｌ（例えば、セル１１０、１３５）におけるＵＬ−ＳＣＨ送信及びＰＵＣＣＨ送信の推定電力との差に関連付けられた情報を更に提供する。
【００２０】
ＵＥ１２０は、サービングセル１１０、１３５、１４５のそれぞれについてのＰＨＲ値を推定するよう適合させられ得る。ＵＥ１２０は、ＰＣｅｌｌ１１０、１３５についてタイプ２及びタイプ１のＰＨＲ値を推定し、ＳＣｅｌｌ１４５についてタイプ１のＰＨＲ値を推定し得る。これらのＰＨＲ値は、ＲＲＣによってｅＮＢ１０５、１３０のうちの少なくとも１つによって設定され得る拡張ＰＨＲにＵＥ１２０が設定される場合に報告され得る。
【００２１】
ＵＥ１２０は、複数の推定されたＰＨＲ値がサービングノード１０５、１３０、１４０の全てに提供されるようにするよう適合させられ得る。一実施形態によると、ＵＥ１２０は、サービングノード１０５、１３０、１４０に、（例えば、個別の送信として、又は一緒に含まれるものとして）複数のＰＨＲ値を送信し得る。別の実施形態において、ＵＥ１２０は、ｅＮＢ１０５、１３０のうちの１つに、（例えば、一緒に又は個別に）複数のＰＨＲ値を送信し得る。次に、ｅＮＢは、それをＸ２インターフェースを介して他のｅＮＢと共有し得る。同様に、セカンダリｅＮＢ１３０は、Ｘ２インターフェースを介して低出力の無線アクセスノード１４０と複数のＰＨＲ値を共有し得る。第３の実施形態において、ＵＥ１２０は、マスタｅＮＢ１０５のために推定されたＰＨＲ値をマスタｅＮＢ１０５に送信し、セカンダリｅＮＢ１３０及びノード１４０のためのＰＨＲ値をセカンダリｅＮＢ１３０に送信し得る。次に、マスタｅＮＢ１０５及びセカンダリｅＮＢ１３０は、Ｘ２インターフェースを介してそれぞれのＰＨＲ値を共有し得る。
【００２２】
ＵＥ１２０は、少なくとも１つのイベントに基づいて、複数のＰＨＲ値がサービングノード１０５、１３０、１４０に報告されるべきであると決定し得る。ＰＨＲ値がサービングノード１０５、１３０、１４０のうちの少なくとも１つのために報告されるべきであるとＵＥ１２０が決定する場合、ＵＥ１２０は、全てのサービングノード１０５、１３０、１４０のためのＰＨＲ値が報告されるようにし得る。一実施形態において、イベントは、サービングノードの追加及び／又は削除であってよい。別の実施形態において、イベントは、複数のＰＨＲ値を送信することを求めるサービングノード１０５、１３０、１４０からの要求のＵＥ１２０による受信であってよい。第３の実施形態において、イベントは、ＵＥ１２０の上位にある層（例えば、アプリケーション層、媒体アクセス制御層など）からの命令であってよい。
【００２３】
いくつかの実施形態によると、イベントは少なくともの１つのタイマの満了であってよい。従って、ＵＥ１２０は、１又は複数のタイマを含み得、複数のＰＨＲ値が１又は複数のタイマに基づいて報告されるべきであると決定し得る。一実施形態において、ＵＥ１２０は、２つの周期ＰＨＲタイマを含み得、各周期ＰＨＲタイマはｅＮＢ１０５、１３０に関連付けられ得る。複数の周期ＰＨＲタイマのうちの少なくとも１つが満了すると、ＵＥ１２０は、複数のＰＨＲ値がサービングノード１０５、１３０、１４０に報告されるべきであると決定し得、それらのＰＨＲ値を送信し得る。
【００２４】
別の実施形態によると、ＵＥ１２０は２つの禁止ＰＨＲタイマを含み、各禁止ＰＨＲタイマはｅＮＢ１０５、１３０に関連付けられてよい。複数の禁止ＰＨＲタイマのうちの少なくとも１つが満了すると、ＵＥ１２０は、ｅＮＢ１０５、１３０のうちの１つに関連付けられたパスロスが予め決定された閾値を超えて（又はこれと等しい値まで）変化したかどうかを決定し得る。ｅＮＢ１０５、１３０のために、関連付けられた禁止タイマが満了したこと、及び、パスロスが予め決定された閾値を超えて変化したことの両方をＵＥ１２０が決定する場合、ＵＥ１２０は、サービングノード１０５、１３０、１４０に対して複数のＰＨＲ値が送信されるようにし得る。
【００２５】
様々な実施形態において、ｅＮＢ１０５、１３０は、情報エレメント（例えば、ＭＡＣ−ＭａｉｎＣｏｎｆｉｇ情報エレメント）において、それらのそれぞれの周期タイマ期間及び禁止タイマ期間をＵＥ１２０に信号で伝達し得る。更に、ｅＮＢ１０５、１３０は、パスロス変化に関連付けられたそれらのそれぞれの閾値量を（例えば、デシベル単位で）信号で伝達し得る。
【００２６】
いくつかの実施形態において、電力管理に起因した必要とされる電力バックオフが一時的に（例えば、最大数１０ミリ秒の間）減少する場合、ＵＥ１２０は複数のＰＨＲ値を報告することをやめてよい。更に、ＵＥ１２０は、複数のＰＨＲ値を報告するとき、そのような一時的な減少値をＰＣＭＡＸ，ｃ及び／又は電力ヘッドルームフィールド中に反映することを避けるべきである。
【００２７】
プリアンブル送信の間（例えば、ｅＮＢ１０５、１３０のうちの１つとのランダムアクセスプリアンブル手順の間）、ＵＥ１２０は自身の最大許容送信電力にまで至ることがある。ＵＥ１２０は、このことをＵＥ１２０がプリアンブルを送信しているｅＮＢ１０５、１３０に報告し得る。例えば、ＵＥ１２０は、ＵＥ１２０の最大送信電力に達したことを示すためのビット（「ｍａｘＴｘＰｏｗｅｒＲｅａｃｈｅｄ」）を設定し得る。ＵＥ１２０がｅＮＢ１０５、１３０に二重に接続されている場合、ＵＥ１２０が最大送信電力に達する可能性は増大する。ｅＮＢ１０５、１３０への複数のＰＨＲ値の報告は、この可能性を低減し得る。更に、ＵＥ１２０及び／又はｅＮＢ１０５、１３０は、複数の電力スケーリングルール（例えば、キャリアアグリゲーションに関連付けられた電力スケーリングルール）を適用して、ＵＥ１２０が最大送信電力に達するのを防ぎ得る。
【００２８】
図２に関して、ブロック図は、様々な実施形態による、２つのｅＮＢ２０５、２３０のアーキテクチャを示す。ｅＮＢ２０５、２３０は、図１において示されるｅＮＢ１０５、１３０の実施形態であってよい。様々な実施形態において、各ｅＮＢ２０５、２３０は、ＵＥが動作し得る無線セルを提供するよう適合させられ得る。
【００２９】
複数の実施形態によると、第１のｅＮＢ２０５はマスタｅＮＢであってよい。複数のデュアルコネクティビティ環境において、マスタｅＮＢ２０５は、Ｓ１モビリティ管理エンティティ（「ＭＭＥ」）を終了するｅＮＢであってよい。従って、マスタｅＮＢ２０５はコアネットワークに対するモビリティアンカーとして機能し得る。様々な実施形態において、ＵＥが、マスタｅＮＢ２０５によって提供される無線セルに関連付けられたＲＲＣ＿Ｃｏｎｎｅｃｔｅｄ状態で動作する間、マスタｅＮＢ２０５はＵＥに複数の無線リソースを提供するよう適合させられ得る。
【００３０】
複数の実施形態によると、第２のｅＮＢ２３０はセカンダリｅＮＢであってよい。デュアルコネクティビティ環境において、セカンダリｅＮＢ２３０は、二重に接続されたＵＥに複数の追加の無線リソースを提供するｅＮＢであってよいが、マスタｅＮＢ２０５ではない。マスタｅＮＢ２０５及びセカンダリｅＮＢ２３０は、例えば、Ｘ２インターフェースを使用して、理想的ではないバックホールと接続され得る。様々な実施形態において、ＵＥが、セカンダリｅＮＢ２３０によって提供される無線セルに関連付けられたＲＲＣ＿Ｃｏｎｎｅｃｔｅｄ状態で動作する間、セカンダリｅＮＢ２３０は、ＵＥに複数の無線リソースを提供するよう適合させられ得る。
【００３１】
図２において示される実施形態において、ベアラ２０２、２０４（例えば、進化型パケットスイッチドシステム（Ｅｖｏｌｖｅｄ  Ｐａｃｋｅｔ  Ｓｗｉｔｃｈｅｄ  Ｓｙｓｔｅｍ）（「ＥＰＳ」）を介したｅＮＢ及びＵＥへのデータストリーム）は、分割されなくてよいが、マスタｅＮＢ２０５及びセカンダリｅＮＢ２３０において独立に受信され得る。そのような複数の実施形態において、第１のベアラ２０２はマスタＵＥ２０５において受信され得、第２のベアラ２０４はセカンダリＵＥ２３０において独立に受信され得る。ベアラ２０２、２０４は、Ｓ１インターフェースを介して各ｅＮＢ２０５、２３０において受信され得、Ｓ１−ＵはセカンダリｅＮＢ２３０において終了し得る。
【００３２】
ベアラ２０２、２０４の独立した受信に起因して、マスタｅＮＢ２０５及びセカンダリｅＮＢ２３０は、別個のパケット・データ・コンバージェンス・プロトコル（「ＰＤＣＰ」）層エンティティ２１０、２３５を含み得る。各ｅＮＢ２０５、２３０において、ＰＤＣＰ層エンティティ２１０、２３５は、例えば、無線ネットワークによるインターフェース制御と進化型パケットコア（Ｅｖｏｌｖｅｄ  Ｐａｃｋｅｔ  Ｃｏｒｅ）（「ＥＰＣ」）に対する複数のユーザプレーンとに関連付けられ得る。更に、ＰＤＣＰ層エンティティ２１０、２３５は、複数のインターネットプロトコル（「ＩＰ」）ヘッダの圧縮及び復元を実行し得る。ＰＤＣＰ層エンティティ２１０、２３５は、各無線リンク制御（「ＲＬＣ」）層エンティティ２１５、２４０と通信可能に連結され得る。ＲＬＣ層エンティティ２１５、２４０は、例えば、ＥＰＣとＵＥとの間の通信のための、複数のデータユニット（例えば、複数のプロトコルデータユニット及び／又は複数のサービスデータユニット）のコンカチネーション、セグメンテーション、及び／又はリアセンブル、複数のデータユニットの連続的な配信、重複検出、エラー回復、及び同様のものを提供し得る。更に、各ＲＬＣ層エンティティ２１５、２４０は、各媒体アクセス制御（「ＭＡＣ」）層エンティティ２２０、２４５と通信可能に連結され得る。ＭＡＣ層エンティティ２２０、２４５は、アドレス指定及びチャネルアクセスのメカニズム、並びにｅＮＢ２０５、２３０の各物理（「ＰＨＹ」）層エンティティとのインターフェース接続を提供し、それによって、ベアラ２０２、２０４は二重に接続されたＵＥに到達し得る。
【００３３】
図３を参照すると、ブロック図は、様々な実施形態による、２つのｅＮＢ３０５、３４０のアーキテクチャを示す。ｅＮＢ３０５、３４０は、図１において示されるｅＮＢ１０５、１３０の実施形態であってよい。様々な実施形態において、各ｅＮＢ３０５、３４０は、二重に接続されたＵＥが動作し得る無線セルを提供するよう適合させられ得る。
【００３４】
複数の実施形態によると、第１のｅＮＢ３０５は、マスタｅＮＢであってよく、コアネットワークに対するモビリティアンカーとして機能し得る。第２のｅＮＢ３４０はセカンダリｅＮＢであってよい。マスタｅＮＢ３０５及びセカンダリｅＮＢ３４０は、例えば、Ｘ２インターフェース接続３３５を使用して理想的ではないバックホールと接続され得る。
【００３５】
複数の実施形態において、ベアラ３０２、３０４は両方ともマスタｅＮＢ３０５において受信され得、ベアラ分割がマスタｅＮＢ３０５において用いられ得る。マスタｅＮＢ３０５は、第１のＰＤＣＰ層エンティティ３１０、第１のＲＬＣ層エンティティ３１５、及びＭＡＣ層エンティティ３２０を含むスタックに従って第１のベアラ３０２を処理し得る。そのような複数の実施形態において、Ｓ１−ＵはマスタｅＮＢ３０５において終了し得る。マスタｅＮＢ３０５はＰＤＣＰ層３２５において第２のベアラ３０４を分割し得る。それから、分割されたベアラの少なくとも一部が、マスタｅＮＢ３０５の第２のＲＬＣ層エンティティ３３０において処理され得る。ＭＡＣ層エンティティ３２０は、第１のベアラと、分割されたベアラ３０４の少なくとも一部との両方を処理し得る。
【００３６】
複数のｅＮＢはバックホールを介して接続されるので、マスタｅＮＢ３０５は、分割されたベアラ３０４の少なくとも一部をＸ２インターフェース接続３３５を使用してセカンダリｅＮＢ３４０に送信し得る。マスタｅＮＢ３０５においてベアラ分割が起こるいくつかの実施形態において、分割されたベアラ３０４からのデータは、セカンダリｅＮＢ３４０のＭＡＣ層エンティティ３５０と通信可能に連結され得る独立したＲＬＣ層エンティティ３４５においてセカンダリｅＮＢ３４０によって受信され得る。従って、マスタｅＮＢ３０５はＥＰＳベアラ３０２、３０４を受信し得るが、セカンダリｅＮＢ３４０の複数の無線リソースは、二重に接続されたＵＥに第２のベアラ３０４を提供すべく使用され得る。
【００３７】
図４を参照すると、ブロック図は、様々な実施形態による、ＵＥ４０５のアーキテクチャを示す。ＵＥ４０５は、図１において示されるＵＥ１２０の実施形態であってよい。様々な実施形態において、ＵＥ４０５は、ｅＮＢによって提供される少なくとも１つの無線セルで動作するよう適合させられ得る。
【００３８】
複数の実施形態によると、ＵＥ４０５は二重接続モード又は二重接続状態で動作するよう適合させられ得る。すなわち、ＵＥ４０５は、マスタｅＮＢ及びセカンダリｅＮＢによって提供される複数の無線ＰＣｅｌｌで同時に動作するよう適合させられ得る。複数のデュアルコネクティビティ環境において、ＵＥ４０５は、複数の無線リソースをマスタｅＮＢ及びセカンダリｅＮＢの両方によって同時に又は同時期に提供され得る。従って、ＵＥ４０５は、マスタｅＮＢ及びセカンダリｅＮＢよって提供される複数の無線ＰＣｅｌｌに関連付けられたＲＲＣ＿Ｃｏｎｎｅｃｔｅｄ状態で同時に動作し得る。
【００３９】
図４において示される実施形態において、ベアラはマスタｅＮＢ及びセカンダリｅＮＢにおいて分割され得、従って、ベアラ４０３、４０４は単一のベアラの分割されたものであり得る。別のベアラ４０２はＵＥ４０５において独立に受信され得る。
【００４０】
第１のベアラ４０２及び分割されたベアラ４０３、４０４の受信に起因して、ＵＥ４０５は３つのＭＡＣ層エンティティ４３５、４４０、４４５を含み得る。ＭＡＣ層エンティティ４３５、４４０、４４５は、アドレス指定及びチャネルアクセスのメカニズム、並びに、ＵＥ４０５の１又は複数のＰＨＹ層エンティティ（図示せず）とのインターフェース接続を提供し得る。ＭＡＣ層エンティティ４３５、４４０、４４５は、各ＲＬＣ層エンティティ４２０、４２５、４３０と連結され得る。ＲＬＣ層エンティティ４２０、４２５、４３０は、例えば、コンカチネーション、セグメンテーション、及び／又は、ＵＥとＥＰＣとの間の通信のための、複数のデータユニット（例えば、複数のプロトコルデータユニット及び／又は複数のサービスデータユニット）、複数のデータユニットの連続的な配信、重複検出、エラー回復、及び同様のもののリアセンブルを提供し得る。
【００４１】
ＵＥ４０５は、別個のＰＤＣＰ層エンティティ４１０、４１５を含み得る。ＰＤＣＰ層エンティティ２１０、２３５は、例えば、無線ネットワークによるインターフェース制御に関連付けられ得、複数のＩＰヘッダの圧縮及び復元を実行し得る。第１のＲＬＣ層エンティティ４２０は第１のＰＤＣＰ層エンティティ４１０と連結され得る。第１のベアラ４０２は、このエンティティ４１０、４２０、４３５のスタックを通してＵＥ４０５内で処理され得る。第２及び第３のＲＬＣ層エンティティ４２５、４３０は、第２のＰＤＣＰ層エンティティ４１５と連結され得る。分割されたベアラ４０３、４０４は、別個のＭＡＣ層エンティティ４４０、４４５及びＲＬＣ層エンティティ４２５、４３０を通ってＵＥ４０５内で処理され得る。第２のＰＤＣＰ層エンティティ４１５において、分割されたベアラ４０３、４０４は一緒に処理され得る。
【００４２】
図５において、ブロック図は、様々な実施形態によるＵＥ５０５のアーキテクチャを示す。ＵＥ５０５は、図１において示されるＵＥ１２０の実施形態であってよい。様々な実施形態において、ＵＥ５０５は、ｅＮＢによって提供される少なくとも１つの無線セルで動作するよう適合させられ得る。
【００４３】
複数の実施形態によると、ＵＥ５０５は二重接続モード又は二重接続状態で動作するよう適合させられ得る。すなわち、ＵＥ５０５は、マスタｅＮＢ及びセカンダリｅＮＢによって提供される複数の無線ＰＣｅｌｌで同時に動作するよう適合させられ得る。複数のデュアルコネクティビティ環境において、ＵＥ５０５は、マスタｅＮＢ及びセカンダリｅＮＢの両方によって、同時に又は同時期に複数の無線リソースを提供され得る。従って、ＵＥ５０５は、マスタｅＮＢ及びセカンダリｅＮＢによって提供される複数の無線ＰＣｅｌｌに関連付けられたＲＲＣ＿Ｃｏｎｎｅｃｔｅｄ状態で同時に動作し得る。示された実施形態において、２つのベアラ−マスタｅＮＢからの第１のベアラ５０２、セカンダリｅＮＢからの第２のベアラ５０４−は、ＵＥ５０５において独立に受信され得る
【００４４】
第１のベアラ５０８及び第２のベアラ５０４の独立した受信に起因して、ＵＥ５０５は２つのＭＡＣ層エンティティ５３０、５３５を含んでよい。ＭＡＣ層エンティティ５３０、５３５は、各ＲＬＣ層エンティティ５２０、５２５と連結され得る。更に、ＲＬＣ層エンティティ５２０、５２５は各ＰＤＣＰ層エンティティ５１０、５１５と連結され得る。ベアラが分割されない場合、ベアラ５０２、５０４は、それぞれ第１のエンティティスタック５１０、５２０、５３０及び第２のエンティティスタック５１５、５２５、５３５によって処理され得る。
【００４５】
ここで図６を参照すると、ブロック図は、様々な実施形態による、拡張ＰＨＲに関連付けられたＭＡＣ制御要素６００を示す。ＭＡＣ制御要素６００は、デュアルコネクティビティには適合させられていないレガシーＵＥなどのＵＥのＭＡＣ層回路に含まれ得る。従って、ＭＡＣ制御要素６００は１つの無線セルのみに関連付けられたＰＨＲを測定するために実装され得る。
【００４６】
様々な実施形態において、複数の「ＰＨ」フィールドは、ＰＨＲ値、並びにＰＨＲのタイプ及びそれがＰＣｅｌｌのものなのか、又はＳＣｅｌｌのものなのかということを示し得る。複数の「Ｒ」フィールドは、複数の確保されたフィールド（例えば、「０」ビットに設定された複数のフィールド）を示し得る。複数の「Ｖ」フィールドは、複数のＰＨフィールドが、実送信又は基準フォーマットに基づいているかどうかを示し得る。複数の「Ｐ」フィールドは、ＵＥが、電力管理に起因した電力バックオフを適用するかどうかを示し得る。
【００４７】
ＭＡＣ制御要素６００において、複数のＰＨＲ値が測定され報告され得る。複数のＰＨＲ値のそれぞれは、異なるコンポーネントキャリアに対応付けられ得る。タイプ２のＰＨＲが報告される場合、タイプ２のＰＨＲフィールドを含むオクテットは、一番目に含まれ得、（もし報告される場合は）関連付けられたＰＣＭＡＸ，ｃフィールドを含むオクテットがそれに続き得る。ＰＣＭＡＸ，ｃは、サービングセルの最大出力電力であってよい。それから、ＰＣｅｌｌのための、及び、各ＳＣｅｌｌのための、タイプ１のＰＨＲフィールドを有するオクテット及び（もし報告される場合は）関連付けられたＰＣＭＡＸ，ｃフィールドを有するオクテットが続く。
【００４８】
図６に関連して、図７は、様々な実施形態による、デュアルコネクティビティのための拡張ＰＨＲに関連付けられたＭＡＣ制御要素７００を示すブロック図を示す。ＭＡＣ制御要素７００は、図１のＵＥ１２０などの、デュアルコネクティビティに適合させられたＵＥのＭＡＣ層回路に含まれ得る。従って、ＭＡＣ制御要素７００は、少なくとも２つの無線セルに関連付けられたＰＨＲを測定及び／又は推定すべく実装され得る。
【００４９】
ＭＡＣ制御要素７００において、複数のＰＨＲ値が測定及び報告され得る。複数のＰＨＲ値のそれぞれは、異なるコンポーネントキャリアに対応付けられ得る。複数の実施形態において、ＭＡＣ制御要素７００は、マスタｅＮＢを含むマスタセルグループ（「ＭＣＧ」）に関連付けられた複数のオクテット７０５に含まれるＰＨＲに関連付けられた複数の値を含み得る。ＭＡＣ制御要素７００は、セカンダリｅＮＢを含むセカンダリセルグループ（「ＳＣＧ」）に関連付けられた複数のオクテット７１０に含まれるＰＨＲに関連付けられた複数の値を更に含み得る。
【００５０】
ＭＣＧについて、タイプ２のＰＨＲが報告される場合、ＭＡＣ制御要素７００の複数のＭＣＧオクテット７０５の第１のオクテットは、ＭＣＧのＰＣｅｌｌに関連付けられたタイプ２のＰＨＲフィールドを含み得、（もし報告される場合は）関連付けられたＰＣＭＡＸ，ｃフィールドを含むオクテットがそれに続き得る。第１の２つのオクテットに続くのは、ＭＣＧのＰＣｅｌｌのための及び各ＳＣｅｌｌのための、タイプ１のＰＨＲフィールドに関連付けられた複数のオクテット及び（もし報告される場合は）関連付けられたＰＣＭＡＸ，ｃフィールドを有する複数のオクテットであり得る。
【００５１】
ＭＣＧと同様に、ＭＡＣ制御要素７００は、ＳＣＧセクションに関連付けられた複数のオクテット７１０を含む。ＳＣＧについて、タイプ２のＰＨＲが報告される場合、ＭＡＣ制御要素７００の複数のＳＣＧオクテット７１０の第１のオクテットは、ＳＣＧのＰＣｅｌｌに関連付けられたタイプ２のＰＨＲフィールドを含み得、（もし報告される場合は）関連付けられたＰＣＭＡＸ，ｃフィールドを含むオクテットがそれに続き得る。最初の２つのオクテットに続くのは、ＳＣＧのＰＣｅｌｌのための及び各ＳＣｅｌｌのための、タイプ１のＰＨＲフィールドに関連付けられた複数のオクテット及び（もし報告される場合は）関連付けられたＰＣＭＡＸ，ｃフィールドを有する複数のオクテットであり得る。
【００５２】
ＭＡＣ制御要素７００に基づいて、ＵＥは、ＭＣＧ及びＳＣＧに関連付けられた複数のＰＨＲを、ＭＣＧのＰＣｅｌｌを提供するｅＮＢ、及び／又はＳＣＧのＰＣｅｌｌを提供するｅＮＢなどの１又は複数のｅＮＢに報告し得る。マスタｅＮＢ及び／又はセカンダリｅＮＢなどのｅＮＢは、例えば、情報エレメントを使用して、デュアルコネクティビティでＰＨＲを報告すべくＵＥに信号で伝達し得る。そのような情報エレメントは、１又は複数のタイマ（例えば、ＭＣＧ及び／又はＳＣＧに関連付けられた周期タイマ及び／又は禁止タイマ）、並びに／又は、ＭＣＧ及び／若しくはＳＣＧに関連付けられたパスロス変化に関連付けられた複数のフィールドを含み得る。一実施形態において、ＭＡＣ−ＭａｉｎＣｏｎｆｉｇ情報エレメントが、ＭＣＧ及びＳＣＧのための各周期タイマ及び禁止タイマ、並びに、ＭＣＧ及びＳＣＧに関連付けられた各パスロス変化値に関連付けられた以下の複数のフィールドを含み得る。
【数１】
2019017092.tif 000003
ＵＥが、送信時間間隔の間の新たな送信のために割り当てられた複数のアップリンクリソースを有する場合、ＵＥは１又は複数のタイマを開始し得る。一実施形態において、ＵＥが、最後のＭＡＣリセット以来の新たな送信のために割り当てられた第１のアップリンクリソースを有する場合、ＵＥは１又は複数の周期ＰＨＲタイマを開始し得る。
【００５３】
拡張ＰＨＲ報告がＵＥにおいて設定される複数の実施形態において、ＵＥはタイプ１のＰＨＲ値及び／又はタイプ２のＰＨＲ値を報告し得る。複数の割り当てられたアップリンクリソースがＰＨＲ  ＭＡＣ制御要素７００（及び任意の関連付けられた複数のヘッダ）を収容可能である場合、ＵＥは全てのサービングセルのためのタイプ１のＰＨＲ値を取得し得る。ＵＥが、その送信時間間隔の間にサービングセルへの送信のために割り当てられた複数のアップリンクリソースを有する場合、ＵＥは、ＵＥの物理層からＰＣＭＡＸ，ｃに対応する値を取得し得る。ＵＥが、同時のＰＵＣＣＨ及びＰＵＳＣＨのために設定される場合、ＵＥは、ＵＥの物理層からＰＣｅｌｌのタイプ２のＰＨＲ値の値を取得し得、ＰＣＭＡＸ，ｃに対応する値を取得し得る。それからＵＥはＰＨＲ  ＭＡＣ制御要素７００を送信し得る。
【００５４】
ＰＨＲ報告がＵＥにおいて設定されない場合、ＵＥはＵＥの物理層からタイプ１のＰＨＲ値を取得し得る。それからＵＥは、（図７において示されるフィールドを全ては含み得ない）ＰＨＲ  ＭＡＣ制御要素を送信し得る。
【００５５】
ＵＥがＭＡＣ制御要素（例えば、ＭＡＣ制御要素７００）を送信した後、次に、ＵＥは周期タイマ及び／又は禁止タイマのうちの少なくとも１つを再び開始し得る。更に、ＵＥは、送信時間間隔の間にトリガされたかもしれない任意の他の複数のＰＨＲ報告を無効にし得る。
【００５６】
図８に関して、フロー図は、様々な実施形態による、デュアルコネクティビティに関連付けられた複数のＰＨＲ値を推定するための方法８００を示す。方法８００は、図１のＵＥ１２０などのＵＥによって実行され得る。図８は複数の連続動作を示しているが、当業者ならば、方法８００の１又は複数のオペレーションが入れ替えられ得る、及び／又は同時に実行され得ることを理解するであろう。
【００５７】
初めに、方法８００は、第１のｅＮＢによって提供される第１の無線セルで動作するための動作８０５を含み得る。方法８００は、第２のｅＮＢによって提供される第２の無線セルで動作するための動作８１０を更に含み得る。第２の無線セルで動作する段階は、第１の無線セルで動作する段階と同時に起こり得る。従って、両方のｅＮＢは複数の無線リソースを同時に提供し得る。例えば、両方のｅＮＢはＵＥに複数のＰＣｅｌｌを提供し得る、及び／又は、ＵＥは、第１及び第２の無線セルの両方においてＲＲＣ＿Ｃｏｎｎｅｃｔｅｄ状態で同時に動作し得る。
【００５８】
動作８１５において、方法８００は、第１の無線セルに関連付けられたＰＨＲの第１の推定値を計算する段階を含み得る。この推定ＰＨＲ値は、第１のｅＮＢへの現在の送信によって使用されている電力に加えてＵＥが第１のｅＮＢとの通信用に使用するための残されている送信電力であり得る。動作８２０は、第２の無線セルに関連付けられたＰＨＲの第２の推定値を計算する段階を含み得る。この第２のＰＨＲ値は、第１のｅＮＢへの現在の送信に基づいて影響を受け（例えば低減させられ）得る、ＵＥが使用するために残されている送信電力であり得る。
【００５９】
動作８２５は、第１の推定値及び第２の推定値を送信する段階を含み得る。一実施形態によると、第１及び第２の推定値は、（例えば、個別の送信又は一緒に含まれるものとして）第１及び第２のｅＮＢに送信され得る。別の実施形態において、第１及び第２の推定値は（例えば、一緒に又は個別に）第１のｅＮＢ又は第２のｅＮＢの何れかに送信され得る。それから、その受信を行うｅＮＢは、（例えば、Ｘ２インターフェースを介して）他のｅＮＢとそれを共有し得る。第３の実施形態において、第１の推定値は第１のｅＮＢに送信され得、第２の推定値は第２のｅＮＢに送信され得る。それから第１のｅＮＢは、（例えば、Ｘ２インターフェースを介して）第２のｅＮＢと第１の推定値を共有し得、その逆も同様である。
【００６０】
図９に関して、フロー図は、様々な実施形態による、１又は複数のイベントを検出したことに基づいて第１及び第２の推定されたＰＨＲを送信するための方法９００を示す。方法９００は、図１のＵＥ１２０などのＵＥによって実行され得る。図９は複数の連続動作を示しているが、当業者ならば、方法９００のうちの１又は複数のオペレーションが入れ替えられ得る、及び／又は同時に実行されうることを理解するであろう。方法９００は、図８の方法８００に関連して実行され得、ＰＨＲ値の送信が条件付けられる１又は複数のオペレーションを示し得る。
【００６１】
方法９００はタイマを開始するための動作９０５で開始し得る。様々な実施形態において、このタイマは周期タイマ又は禁止タイマであってよい。ＵＥが二重接続モードで動作する間、タイマは、マスタｅＮＢ又はセカンダリｅＮＢの何れかに関連付けられ得る。動作９１０は、タイマの満了を検出する段階を備え得る。
【００６２】
動作９１５において、方法９００は、予め決定された閾値を超えるパスロスの変更が検出される段階を任意に含み得る。様々な実施形態において、この動作９１５は、タイマが禁止タイマである場合にのみ実行され得る。予め決定された閾値は、禁止タイマが関連付けられた同一のｅＮＢによって信号で伝達されたデシベル値に基づき得る。例えば、禁止タイマがマスタｅＮＢに関連付けられている場合、検出されたパスロスは、マスタｅＮＢによって信号で伝達された予め決定された閾値に基づいてマスタｅＮＢに関連付けられるであろう。同様に、禁止タイマがセカンダリｅＮＢに関連付けられている場合、検出されたパスロスは、セカンダリｅＮＢによって信号で伝達された予め決定された閾値に基づいてセカンダリｅＮＢに関連付けられるであろう。動作８２５は、図８に関して説明されたように、第１及び第２の推定値を送信する段階を含み得る。
【００６３】
図１０を参照すると、フロー図は、様々な実施形態による、デュアルコネクティビティに適合させられたＵＥに関連付けられたアップリンク送信電力を計算するための方法１０００を示す。方法１０００は、図１のｅＮＢ１０５、１３０のうちの１つなどのｅＮＢによって実行され得る。図１０は複数の連続動作を示しているが、当業者ならば、方法１０００のうちの１又は複数のオペレーションが入れ替えられ得る、及び／又は同時に実行されうることを理解するであろう。
【００６４】
方法１０００は、ｅＮＢとＵＥとの間の通信に関連付けられた第１のＰＨＲ値を受信するための動作１００５で開始し得る。方法１０００は、別のｅＮＢとＵＥとの間の通信に関連付けられた第２のＰＨＲ値を受信するための動作１０１０を更に含み得る。様々な実施形態において、第１のＰＨＲ値及び／又は第２のＰＨＲ値は、ＵＥ及び／又は他のｅＮＢによって信号で伝達され得る。
【００６５】
動作１０１５において、方法１０００は、ｅＮＢとＵＥとの間の通信に関連付けられたアップリンク送信電力を計算する段階を含み得る。この動作１０１５は、受信された第１及び第２のＰＨＲ値に基づき得る。従って、別のｅＮＢとの通信に関連付けられたＵＥの送信電力は、アップリンク送信電力の計算に影響し得る。この手法は、ＵＥが二重接続モードで動作中であるときに、ＵＥに自身の最大許容送信電力を超えさせるであろう送信電力をｅＮＢが要求することを防ぎ得る。従って、動作１０２０はアップリンク送信電力の指標をＵＥに送信する段階を含み得る。
【００６６】
ここで図１１を参照すると、ブロック図は、様々な実施形態による、例示的なコンピューティングデバイス１１００を示す。本明細書において説明された図１のｅＮＢ１０５、１３０及び／又はＵＥ１２０のうちの１つは、コンピューティングデバイス１１００などのコンピューティングデバイスにおいて実装され得る。更に、コンピューティングデバイス１１００は、図８に関して説明された方法８００、図９に関して説明された方法９００、及び／又は図１０に関して説明された方法１０００のうちの１又は複数のオペレーションを実行するよう適合させられ得る。コンピューティングデバイス１１００は、いくつかのコンポーネント、１又は複数のプロセッサ１１０４、及び１又は複数の通信チップ１１０６を含み得る。実施形態に応じて、列挙された複数のコンポーネントのうちの１又は複数は、処理回路、通信回路、及び同様のものなどのコンピューティングデバイス１１００の「回路」を備え得る。様々な実施形態において、１又は複数のプロセッサ１１０４はそれぞれ、プロセッサコアであってよい。様々な実施形態において、１又は複数の通信チップ１１０６は、１又は複数のプロセッサ１１０４と物理的及び電気的に連結され得る。更なる複数の実施例においては、複数の通信チップ１１０６は、１又は複数のプロセッサ１１０４の一部であってよい。様々な実施形態において、コンピューティングデバイス１１００はプリント回路基板（「ＰＣＢ」）１１０２を含み得る。これらの実施形態のために、１又は複数のプロセッサ１１０４及び通信チップ１１０６はプリント回路基板上に配置され得る。代替的な複数の実施形態において、様々なコンポーネントはＰＣＢ１１０２を使用することなく連結され得る。
【００６７】
その複数の用途に応じて、コンピューティングデバイス１１００は、ＰＣＢ１１０２と物理的及び電気的に連結され得る又はされ得ない他の複数のコンポーネントを含み得る。これらの他のコンポーネントは、揮発性メモリ（例えば、「ＤＲＡＭ」とも呼ばれるダイナミックランダムアクセスメモリ１１０８）、不揮発性メモリ（例えば、「ＲＯＭ」とも呼ばれるリードオンリメモリ１１１０）、フラッシュメモリ１１１２、入出力コントローラ１１１４、デジタル信号プロセッサ（図示せず）、暗号プロセッサ（図示せず）、グラフィックスプロセッサ１１１６、１又は複数のアンテナ１１１８、ディスプレイ（図示せず）、タッチスクリーンディスプレイ１１２０、タッチスクリーンコントローラ１１２２、バッテリ１１２４、オーディオコーデック（図示せず）、ビデオコード（図示せず）、全地球的航法衛星システム１１２８、コンパス１１３０、加速度計（図示せず）、ジャイロスコープ（図示せず）、スピーカ１１３２、カメラ１１３４、１又は複数のセンサ１１３６（例えば、気圧計、ガイガーカウンタ、温度計、粘度計、レオメータ、高度計、又は、様々な製造環境において見られ得る、若しくは他の複数の用途において使用され得る他のセンサ）、大容量ストレージデバイス（例えば、ハードディスクドライブ、ソリッドステートドライブ、コンパクトディスク及びドライブ、デジタルバーサタイルディスク及びドライブなど）（図示せず）等を含むがそれらに限定されない。様々な実施形態において、１又は複数のプロセッサ１１０４は、他の複数のコンポーネントと共に同一ダイ上に統合されてシステムオンチップ（「ＳＯＣ」）を形成し得る。
【００６８】
様々な実施形態において、揮発性メモリ（例えば、ＤＲＡＭ１１０８）、不揮発性メモリ（例えば、ＲＯＭ１１１０）、フラッシュメモリ１１１２、及び大容量ストレージデバイス（図示せず）は、１又は複数のプロセッサ１１０４による実行に応答して、コンピューティングデバイス１１００が、本明細書において説明された複数のデータ交換及び複数の方法のうちの全て又は複数の選択された態様を、そのような複数のデータ交換及び複数の方法を実装すべく使用されるコンピューティングデバイス１１００の実施形態に応じて実施できるようにするよう構成される複数のプログラミング命令を含み得る。より具体的には、複数のメモリコンポーネント（例えば、ＤＲＡＭ１１０８、ＲＯＭ１１１０、フラッシュメモリ１１１２、及び大容量ストレージデバイス）のうちの１又は複数は、１又は複数のプロセッサ１１０４によって実行されるとき、コンピューティングデバイス１１００が、本明細書において説明された複数のデータ交換及び方法のうちの全て又は複数の選択された態様を、そのような複数のデータ交換及び複数の方法を実装すべく使用されるコンピューティングデバイス１１００の実施形態に応じて実施するよう構成される１又は複数のモジュール１１３８を動作可能にする複数の命令の一時的及び／又は永続的なコピーを含み得る。
【００６９】
複数の通信チップ１１０６は、コンピューティングデバイス１１００への、及びコンピューティングデバイス１１００からのデータの転送のための有線通信及び／又は無線通信を可能にし得る。「無線」という用語及びその複数の派生語は、非固体媒体を介しての変調された電磁放射の使用によってデータを通信し得る複数の回路、装置、システム、方法、技術、通信チャネルなどを説明すべく使用され得る。当該用語は、関連付けられた複数の装置が如何なる配線も含まないことを意味するものではないが、いくつかの実施形態においては含まないこともあるだろう。通信チップ１１０６は、限定されないが、ＬＴＥ、ＬＴＥ−Ａ、Ｉｎｓｔｉｔｕｔｅ  ｏｆ  Ｅｌｅｃｔｒｉｃａｌ  ａｎｄ  Ｅｌｅｃｔｒｏｎｉｃｓ  Ｅｎｇｉｎｅｅｒｓ（「ＩＥＥＥ」）７０２．２０、汎用パケット無線サービス（「ＧＰＲＳ」）、エボリューション・データ・オプティマイズド（「Ｅｖ−ＤＯ」）、Ｅｖｏｌｖｅｄ  Ｈｉｇｈ  Ｓｐｅｅｄ  Ｐａｃｋｅｔ  Ａｃｃｅｓｓ（「ＨＳＰＡ＋」）、Ｅｖｏｌｖｅｄ  Ｈｉｇｈ  Ｓｐｅｅｄ  Ｄｏｗｎｌｉｎｋ  Ｐａｃｋｅｔ  Ａｃｃｅｓｓ（「ＨＳＤＰＡ＋」）、Ｅｖｏｌｖｅｄ  Ｈｉｇｈ  Ｓｐｅｅｄ  Ｕｐｌｉｎｋ  Ｐａｃｋｅｔ  Ａｃｃｅｓｓ（「ＨＳＵＰＡ＋」）、グローバル・システム・フォー・モバイル・コミュニケーションズ（「ＧＳＭ（登録商標）」）、Ｅｎｈａｎｃｅｄ  Ｄａｔａ  Ｒａｔｅｓ  ｆｏｒ  ＧＳＭ（登録商標）  Ｅｖｏｌｕｔｉｏｎ（「ＥＤＧＥ」）、符号分割多元接続（「ＣＤＭＡ」）、時分割多元接続（「ＴＤＭＡ」）、デジタル・エンハンスト・コードレス・テレコミュニケーションズ（「ＤＥＣＴ」）、Ｂｌｕｅｔｏｏｔｈ（登録商標）、それらの複数の派生物、並びに、３Ｇ、４Ｇ、５Ｇ及びそれ以降として指定される他の複数の無線プロトコルを含むいくつかの無線規格又はプロトコルの何れかを実装し得る。コンピューティングデバイス１１００は、複数の異なる通信機能を実行するよう適合させられた複数の通信チップ１１０６を含み得る。例えば、第１の通信チップ１１０６はＷｉ−Ｆｉ（登録商標）及びＢｌｕｅｔｏｏｔｈ（登録商標）などの近距離無線通信専用であってよく、一方で、第２の通信チップ１１０６は、ＧＰＳ，ＥＤＧＥ、ＧＰＲＳ、ＣＤＭＡ、ＷｉＭＡＸ、ＬＴＥ、ＬＴＥ−Ａ、Ｅｖ−ＤＯ、及び同様のものなどの長距離無線通信専用であってよい。
【００７０】
図１２は、いくつかの実施形態によるデバイス１２００を示す。デバイス１２００は、図１のｅＮＢ１０５、１３０及び／又はＵＥ１２０の１つと同様であり得、及び／又はそれに含まれ得る。デバイス１２００は、少なくとも示されるように、互いに連結される、処理回路１２０２、送信回路１２０５、受信回路１２１０、通信回路１２１５及び１又は複数のアンテナ１２２０を含み得る。
【００７１】
手短に言えば、通信回路１２１５はアンテナ１２２０と連結されて、デバイス１２００への／デバイス１２００からの複数の信号の無線（ｏｖｅｒ−ｔｈｅ−ａｉｒ）通信を容易にし得る。通信回路１２１５の複数の動作は、フィルタリング、増幅、格納、変調、復調、変換などを含み得るが、それらに限定されない。
【００７２】
送信回路１２０５は通信回路１２１５と連結され得、複数のアンテナ１２２０による送信のために、通信回路１２１５に複数の信号を提供するよう構成され得る。様々な実施形態において、送信回路１２０５は信号に対する様々な信号処理動作を提供して、通信回路１２１５への信号に複数の適切な特性を提供するよう構成され得る。いくつかの実施形態において、送信回路１２０５は複数の信号を生成するよう適合させられ得る。更に、送信回路１２０５は、通信回路１２１５による送信の前に、様々な信号をスクランブル、多重化、及び／又は変調するよう適合させられ得る。
【００７３】
受信回路１２１０は通信回路１２１５に連結され得、通信回路１２１５から複数の信号を受信するよう構成され得る。いくつかの実施形態において、受信回路１２１０は複数の信号を生成するよう適合させられ得る。更に、受信回路１２１０は、通信回路１２１５による受信に続いて様々な信号をデスクランブル、逆多重化、及び／又は復調するよう適合させられ得る。
【００７４】
処理回路１２０２は、送信回路１２０５、受信回路１２１０、及び／又は通信回路１２１５に連結され得る。処理回路は、ｅＮＢ及び／又はＵＥに関して本明細書において説明された複数の動作を実行するよう適合させられ得る。いくつかの実施形態において、処理回路１２０２は、例えば、ｅＮＢ及び／若しくはＵＥへ、並びに／又は、ｅＮＢ及び／若しくはＵＥから、無線で送信されるデータを生成、処理、及び／又は操作するよう適合させられ得る。特に、処理回路１２０２は複数のＰＨＲに関連付けられた値の推定及び／又は計算に関連付けられた複数の動作を実行するよう適合させられ得る。
【００７５】
通信回路１２１５、送信回路１２０５、及び／又は受信回路１２１０のうちのいくつか又は全ては、例えば通信チップに含まれ得、及び／又は、図１１に関して説明されたようなプリント回路基板と通信可能に連結され得る。
【００７６】
様々な実施形態において、例１はユーザ機器（「ＵＥ」）に含まれる装置であってよい。当該装置は、第１のｅＮＢによって提供される第１の無線プライマリセル（「ＰＣｅｌｌ」）及び第２のｅＮＢによって提供される第２の無線ＰＣｅｌｌで同時に動作し、第１の無線セルに関連付けられた電力ヘッドルーム（「ＰＨＲ」）の第１の推定値及び第２の無線セルに関連付けられたＰＨＲの第２の推定値を計算する処理回路と、当該処理回路に連結され、第１の推定値及び第２の推定値を送信する送信回路とを備える。例２は例１の装置を含んでよく、送信回路は第１のｅＮＢに第２の推定値を送信する。例３は例１の装置を含んでよく、送信回路は第２のｅＮＢに第２の推定値を送信する。例４は例１の装置を含んでよく、送信回路は更に、第２のｅＮＢに第１の推定値を送信する。例５は例１−４の何れかの装置を含んでよく、処理回路は予め決定されたイベントを検出し、更に、送信回路は予め決定されたイベントの検出に基づいて第１の推定値及び第２の推定値を送信する。例６は例５の装置を含んでよく、予め決定されたイベントは、第１及び第２の無線セルにおける動作と同時の第３の無線セルにおける処理回路による動作のうちの少なくとも１つに関連付けられる。例７は例５の装置を含んでよく、予め決定されたイベントは処理回路による第２のセルにおける動作の終了に関連付けられる。例８は例５の装置を含んでよく、予め決定されたイベントは第１のセルにおける動作に関連付けられた第１のタイマの満了、又は、第２のセルにおける動作に関連付けられた第２のタイマの満了に関連付けられる。例９は例６の装置を含んでよく、予め決定されたイベントは、閾値を超えるパスロス値に更に関連付けられる。例１０は例５の装置を含んでよく、予め決定されたイベントは、第１のｅＮＢに第１の推定値を送信することを求める要求の受信に関連付けられ、当該装置は、第１のｅＮＢに第１の推定値を送信することを求める要求を受信する、処理回路に連結される受信回路を更に備える。例１１は例１−４の何れかの装置を含んでよく、処理回路は更に、送信電力が最大値に達したことを検出し、更に、送信回路は、送信電力が最大値に達したという指標を第１のｅＮＢに送信する。
【００７７】
様々な実施形態において、例１２は進化型ノードＢ（「ｅＮＢ」）に含まれる装置であってよい。当該装置は、ｅＮＢとユーザ機器（「ＵＥ」）との間の通信に関連付けられた第１の電力ヘッドルーム（「ＰＨＲ」）値と、別のｅＮＢとＵＥとの間の通信に関連付けられた第２のＰＨＲ値とを受信する受信回路と、受信回路に連結され、第１のＰＨＲ値及び第２のＰＨＲ値に基づいてｅＮＢとＵＥとの間の通信に関連付けられたアップリンク送信電力を決定する処理回路と、処理回路に連結され、ＵＥにアップリンク送信電力の指標を送信する送信回路とを備える。例１３は例１２の装置を含んでよく、処理回路は理想的ではないバックホールを介してｅＮＢに他のｅＮＢに接続させる。例１４は例１２の装置を含んでよく、受信回路は更に、ＵＥが最大送信電力に達したという指標を受信し、アップリンク送信電力の決定は更に当該指標に基づく。例１５は例１２−１４の何れかの装置を含んでよく、受信回路はＵＥから第１のＰＨＲ値及び第２のＰＨＲ値のうちの少なくとも１つを受信する。例１６は例１２−１４の何れかの装置を含んでよく、受信回路は、Ｘ２インターフェースを使用して他のｅＮＢから第１のＰＨＲ値及び第２のＰＨＲ値のうちの少なくとも１つを受信する。例１７は例１２−１４の何れかの装置を含んでよく、送信回路は、Ｘ２インターフェースを使用して、他のｅＮＢに第１のＰＨＲ値及び第２のＰＨＲ値のうちの少なくとも１つを送信する。例１８は例１２−１４の何れかの装置を含んでよく、処理回路は、ＵＥが第１及び第２のＰＨＲ値を送信することを求める要求を生成し、更に、送信回路はＵＥに当該要求を送信する。例１９は例１２−１４の何れかの装置を含んでよく、処理回路は、少なくとも１つのタイマに関連付けられた少なくとも１つの期間及び少なくとも１つのパスロス閾値を決定し、更に、送信回路は、ＵＥによるＰＨＲ値報告の決定のための少なくとも１つの期間及び少なくとも１つのパスロス閾値をＵＥに送信する。
【００７８】
様々な実施形態において、例２０は、コンピューティングデバイスが実行可能な複数の命令を備える１又は複数の非一時的コンピュータ可読媒体であってよい。当該複数の命令は、ユーザ機器（「ＵＥ」）による実行に応答して、ＵＥに、第１の進化型ノードＢ（「ｅＮＢ」）によって提供される第１の無線セルにおいてデュアルコネクティビティモードで動作させ、第１の無線セルにおける動作と同時に、第２のｅＮＢによって提供される第２の無線セルで動作させ、第１の無線セルに関連付けられた第１の電力ヘッドルーム（「ＰＨＲ」）値を計算させ、第２の無線セルに関連付けられた第２のＰＨＲ値を計算させ、第１のｅＮＢ又は第２のｅＮＢのうちの少なくとも１つに第１のＰＨＲ値を送信させ、第１のｅＮＢ又は第２のｅＮＢのうちの少なくとも１つに第２のＰＨＲ値を送信させる。例２１は例２０の１又は複数の非一時的コンピュータ可読媒体を含んでよく、当該複数の命令は更に、ＵＥに、ＵＥと第１のｅＮＢとの間のアップリンク通信に関連付けられた送信電力の指標を第１のｅＮＢから受信させ、当該指標に基づいて第１のｅＮＢへのアップリンク通信に関連付けられた送信電力を調整させる。例２２は例２０の１又は複数の非一時的コンピュータ可読媒体を含んでよく、当該複数の命令は更に、ＵＥに予め決定されたイベントを検出させ、更に、第１のＰＨＲ値の送信は、予め決定されたイベントの検出に基づく。
【００７９】
様々な実施形態において、例２３はコンピューティングデバイスが実行可能な複数の命令を備える１又は複数の非一時的コンピュータ可読媒体を含んでよい。当該複数の命令は、進化型ノードＢ（「ｅＮＢ」）による実行に応答して、ｅＮＢに、ｅＮＢとユーザ機器（「ＵＥ」）との間の通信に関連付けられた第１の電力ヘッドルーム（「ＰＨＲ」）値を受信させ、別のｅＮＢとＵＥとの間の通信に関連付けられた第２のＰＨＲ値を受信させ、第１のＰＨＲ値及び第２のＰＨＲ値に基づいてｅＮＢとＵＥとの間の通信に関連付けられた送信電力値を計算させ、送信電力値の指標をＵＥに送信させる。例２４は例２３の１又は複数の非一時的コンピュータ可読媒体を含んでよく、当該複数の命令は更に、ＵＥが最大送信電力に達したという指標をｅＮＢに受信させ、更に、アップリンク送信電力の計算は更に当該指標に基づく。例２５は例２３の１又は複数の非一時的コンピュータ可読媒体を含んでよく、当該複数の命令は更にｅＮＢに、Ｘ２インターフェースを介して第１のＰＨＲ値及び第２のＰＨＲ値のうちの少なくとも１つを他のｅＮＢと通信させる。
【００８０】
様々な実施形態において、例２６はユーザ機器（「ＵＥ」）によって実行される方法であってよい。当該方法は、第１のｅＮＢによって提供される第１の無線プライマリセル（「ＰＣｅｌｌ」）及び第２のｅＮＢによって提供される第２の無線ＰＣｅｌｌで同時に動作する段階と、第１の無線セルに関連付けられた電力ヘッドルーム（「ＰＨＲ」）の第１の推定値を計算する段階と、第２の無線セルに関連付けられたＰＨＲの第２の推定値を計算する段階と、第１の推定値を送信する段階と、第２の推定値を送信する段階とを備える。例２７は、例２６の方法を含んでよく、第２の推定値は第１のｅＮＢに送信される。例２８は例２６の方法を含んでよく、第２の推定値は第２のｅＮＢに送信される。例２９は例２６の方法を含んでよく、第１の推定値は第２のｅＮＢに送信される。例３０は例２６−２９の何れかの方法を含んでよく、第１の推定値を送信する段階及び第２の推定値を送信する段階は、予め決定されたイベントの検出に基づき、当該方法は予め決定されたイベントを検出する段階を更に備える。例３１は例３０の方法を含んでよく、予め決定されたイベントは第１及び第２の無線セルにおける動作と同時の第３の無線セルにおける動作に関連付けられる。例３２は例３０の方法を含んでよく、予め決定されたイベントは第２のセルにおける動作の終了に関連付けられる。例３３は例３０の方法を含んでよく、予め決定されたイベントは第１のセルにおける動作に関連付けられた第１のタイマの満了、又は、第２のセルにおける動作に関連付けられた第２のタイマの満了に関連付けられる。例３４は例３０の方法を含んでよく、予め決定されたイベントは、第１のｅＮＢに第１の推定値を送信することを求める要求の受信に関連付けられ、当該方法は、第１のｅＮＢに第１の推定値を送信することを求める要求を受信する段階を更に備える。
【００８１】
様々な実施形態において、例３５は、進化型ノードＢ（「ｅＮＢ」）によって実行される方法であってよい。当該方法は、ｅＮＢとユーザ機器（「ＵＥ」）との間の通信に関連付けられた第１の電力ヘッドルーム（「ＰＨＲ」）値を受信する段階と、別のｅＮＢとＵＥとの間の通信に関連付けられた第２のＰＨＲ値を受信する段階と、第１のＰＨＲ値及び第２のＰＨＲ値に基づいてｅＮＢとＵＥとの間の通信に関連付けられたアップリンク送信電力を決定する段階と、ＵＥにアップリンク送信電力の指標を送信する段階とを備える。例３６は例３５の方法を含んでよく、理想的ではないバックホールを介して他のｅＮＢに接続する段階を更に備える。例３７は例３５の方法を含んでよく、ＵＥが最大送信電力に到達したという指標を受信する段階を更に備え、アップリンク送信電力を決定する段階は更に当該指標に基づく。例３８は例３５−３７の何れかの方法を含んでよく、第１のＰＨＲ値及び第２のＰＨＲ値のうちの少なくとも１つはＵＥから受信される。例３９は例３５−３７の何れかの方法を含んでよく、第１のＰＨＲ値及び第２のＰＨＲ値のうちの少なくとも１つは、Ｘ２インターフェースを使用して他のｅＮＢから受信される。例４０は例３５−３７の何れかの方法を含み、Ｘ２インターフェースを使用して他のｅＮＢに第１のＰＨＲ値及び第２のＰＨＲ値のうちの少なくとも１つを送信する段階を更に備える。
【００８２】
先の詳細な説明のいくつかの部分は、コンピュータメモリ内の複数のデータビットに対する演算のアルゴリズム表現及び記号表現の観点から提示されてきた。これらのアルゴリズム的な記述及び表現は、データ処理分野における当業者らが、彼らの研究の内容を他の当業者らに最も効果的に伝えるために使用するやり方である。本明細書において及び一般的に、アルゴリズムとは、所望の結果をもたらす首尾一貫した一連の演算であると考えられる。複数の演算は、複数の物理量の複数の物理的操作を必要とするものである。
【００８３】
しかしながら、これらの及び同様の複数の用語の全ては、適切な複数の物理量に関連付けられ、これらの量に付される単なる便利な複数のラベルであることが留意されるべきである。上述の説明から明らかなように、特に別段の記述がない限り、本発明全体を通じ、以下の特許請求の範囲に記載されるものなどの複数の用語を用いた複数の説明は、コンピュータシステムの複数のレジスタ及び複数のメモリ内の複数の物理（電子）量として表されるデータを操作し、コンピュータシステムの複数のメモリ、又は複数のレジスタ、又は他のそのような情報記憶装置、送信装置又は表示装置内の複数の物理量として同様に表される他のデータに変換するコンピュータシステム又は同様の電子コンピューティングデバイスの動作及び複数の処理を指すことが理解される。
【００８４】
本発明の複数の実施形態は、また、本明細書における複数の動作を実行するための装置にも関する。そのようなコンピュータプログラムは非一時的コンピュータ可読媒体に格納される。機械可読媒体は、機械（例えば、コンピュータ）によって読み出し可能な形式で情報を格納するための任意のメカニズムを含む。例えば、機械可読（例えば、コンピュータ可読）媒体は、機械−（例えば、コンピュータ−）可読記憶媒体（例えば、リードオンリメモリ（「ＲＯＭ」））、ランダムアクセスメモリ（「ＲＡＭ」）、磁気ディスク記憶媒体、光記憶媒体、フラッシュメモリデバイス）を含む。
【００８５】
先の複数の図において示された複数の処理又は複数の方法は、（例えば、回路、専用ロジックなどの）ハードウェア、（例えば、非一時的コンピュータ可読媒体上で具現化される）ソフトウェア、又はそれらの両方の組み合わせを備える処理ロジックによって実行され得る。当該複数の処理又は複数の方法はいくつかの連続の動作の観点から上述されたが、説明された動作のいくつかは異なる順序で実行され得ることが理解されるべきである。更に、いくつか動作は、連続的にではなく並列に実行され得る。
【００８６】
本発明の複数の実施形態は任意の特定のプログラミング言語を参照して説明されるのではない。本明細書において説明されたような本発明の複数の実施形態の複数の教示を実行すべく、様々なプログラミング言語が使用され得ることが理解されるだろう。上記明細書において、本発明の複数の実施形態は、発明の特定の例示的な複数の実施形態を参照して説明されてきた。以下の特許請求の範囲において記載される発明のより広義な主旨及び範囲から逸脱することなく、それらの実施形態に様々な変形が成され得ることは明らかであろう。従って、明細書及び図面は、限定的な意味ではなく、例示的な意味で考えられるべきである。
【図１】
2019017092.tif 000004
【図２】
2019017092.tif 000005
【図３】
2019017092.tif 000006
【図４】
2019017092.tif 000007
【図５】
2019017092.tif 000008
【図６】
2019017092.tif 000009
【図７】
2019017092.tif 000010
【図８】
2019017092.tif 000011
【図９】
2019017092.tif 000012
【図１０】
2019017092.tif 000013
【図１１】
2019017092.tif 000014
【図１２】
2019017092.tif 000015
【手続補正書】
【提出日】平成30年10月5日(2018.10.5)
【手続補正１】
【補正対象書類名】特許請求の範囲
【補正対象項目名】全文
【補正方法】変更
【補正の内容】
【特許請求の範囲】
【請求項１】
コンピューティングデバイス実行可能な命令を備える１または複数の非一時的コンピュータ可読媒体であって、前記命令は、ユーザ機器（ＵＥ）による実行に応じて、前記ＵＥに、
デュアルコネクティビティに対する電力ヘッドルーム（ＰＨＲ）情報に関連付けられた媒体アクセス制御制御要素（ＭＡＣ制御要素）を生成する手順であって、前記ＭＡＣ制御要素は、マスタセルグループの第１の無線プライマリセル（第１の無線ＰＣｅｌｌ）に関連付けられたＰＨＲ値を含む、前記マスタセルグループに関連付けられた１または複数の第１のオクテットと、セカンダリセルグループの第２の無線ＰＣｅｌｌに関連付けられたＰＨＲ値を含む、前記セカンダリセルグループに関連付けられた１または複数の第２のオクテットと、を有する、手順と、
前記ＵＥの送信回路に、前記ＭＡＣ制御要素を１又は複数の進化型ノードＢに送信させる手順とを実行させる
非一時的コンピュータ可読媒体。
【請求項２】
前記１または複数の第１のオクテットは、第１の物理アップリンク制御チャネル送信電力（第１のＰＵＣＣＨ送信電力）に基づいて前記第１の無線ＰＣｅｌｌに関連付けられた前記ＰＨＲ値を示す第１のタイプ２ＰＨＲフィールドを含み、
前記１または複数の第２のオクテットは、第２のＰＵＣＣＨ送信電力に基づいて前記第２の無線ＰＣｅｌｌに関連付けられた前記ＰＨＲ値を示す第２のタイプ２ＰＨＲフィールドを含む、
請求項１に記載の非一時的コンピュータ可読媒体。
【請求項３】
前記１または複数の第１のオクテットは、第１の物理アップリンク共有チャネル送信電力（第１のＰＵＳＣＨ送信電力）に基づいて前記第１の無線ＰＣｅｌｌに関連付けられた前記ＰＨＲ値を示す第１のタイプ１ＰＨＲフィールドを含み、
前記１または複数の第２のオクテットは、第２のＰＵＳＣＨ送信電力に基づいて前記第２の無線ＰＣｅｌｌに関連付けられた前記ＰＨＲ値を示すタイプ１ＰＨＲフィールドを含む、
請求項２に記載の非一時的コンピュータ可読媒体。
【請求項４】
前記１または複数の第１のオクテットは、前記第１の無線ＰＣｅｌｌの最大出力電力を示す第１のＰＣＭＡＸ，ｃフィールドを含み、
前記１または複数の第２のオクテットは、前記第２の無線ＰＣｅｌｌの最大出力電力を示す第２のＰＣＭＡＸ，ｃフィールドを含む、
請求項１から３のいずれか一項に記載の非一時的コンピュータ可読媒体。
【請求項５】
前記命令は、さらに、前記ＵＥに、
前記ＭＡＣ制御要素の送信の時間を特定すべく、１より多い周期ＰＨＲタイマを監視する手順を実行させる
請求項１から４のいずれか一項に記載の非一時的コンピュータ可読媒体。
【請求項６】
進化型ノードＢ（ｅＮＢ）に含まれる装置であって、前記装置は、
送信回路と、
前記送信回路に連結されたプロセッサ回路とを備え、
前記プロセッサ回路は、
デュアルコネクティビティに対するＰＨＲ情報の送信の時間を特定すべく、ユーザ機器（ＵＥ）により使用される１より多い周期電力ヘッドルームタイマ（周期ＰＨＲタイマ）のうちの少なくとも１つに対応する少なくとも１つの期間を決定する手順と、
前記送信回路に、前記少なくとも１つの期間に基づいて、少なくとも１つの値を含む信号を前記ＵＥに送信させる手順と、
前記信号の送信に応答して、媒体アクセス制御制御要素（ＭＡＣ制御要素）を含む受信した通信を特定する手順であって、前記ＭＡＣ制御要素は、前記ｅＮＢに対応するマスタセルグループの第１の無線プライマリセル（第１の無線ＰＣｅｌｌ）に関連付けられたＰＨＲ値を含む、前記マスタセルグループに関連付けられた１または複数の第１のオクテットと、遠隔のｅＮＢに対応するセカンダリセルグループの第２の無線ＰＣｅｌｌに関連付けられたＰＨＲ値を含む、前記セカンダリセルグループに関連付けられた１または複数の第２のオクテットと、を含む、手順とを実行する
装置。
【請求項７】
前記１または複数の第１のオクテットは、第１の物理アップリンク制御チャネル送信電力（第１のＰＵＣＣＨ送信電力）に基づいて前記第１の無線ＰＣｅｌｌに関連付けられた前記ＰＨＲ値を示す第１のタイプ２ＰＨＲフィールドを含み、
前記１または複数の第２のオクテットは、第２のＰＵＣＣＨ送信電力に基づいて前記第２の無線ＰＣｅｌｌに関連付けられた前記ＰＨＲ値を示す第２のタイプ２ＰＨＲフィールドを含む、
請求項６に記載の装置。
【請求項８】
前記１または複数の第１のオクテットは、第１の物理アップリンク共有チャネル送信電力（第１のＰＵＳＣＨ送信電力）に基づいて前記第１の無線ＰＣｅｌｌに関連付けられた前記ＰＨＲ値を示す第１のタイプ１ＰＨＲフィールドを含み、
前記１または複数の第２のオクテットは、第２のＰＵＳＣＨ送信電力に基づいて前記第２の無線ＰＣｅｌｌに関連付けられた前記ＰＨＲ値を示すタイプ１ＰＨＲフィールドを含む、
請求項７に記載の装置。
【請求項９】
前記１または複数の第１のオクテットは、前記第１の無線ＰＣｅｌｌの最大出力電力を示す第１のＰＣＭＡＸ，ｃフィールドを含み、
前記１または複数の第２のオクテットは、前記第２の無線ＰＣｅｌｌの最大出力電力を示す第２のＰＣＭＡＸ，ｃフィールドを含む、
請求項７に記載の装置。
【請求項１０】
前記プロセッサ回路は、前記送信回路に、前記ＰＨＲ値のうちの少なくとも１つを、Ｘ２インターフェースを介して前記遠隔のｅＮＢに送信させる
請求項６から９のいずれか一項に記載の装置。
【請求項１１】
前記プロセッサ回路は、１より多い前記周期ＰＨＲタイマの前記少なくとも１つに対応する少なくとも１つのパスロス閾値を決定し、
前記信号は、前記少なくとも１つのパスロス閾値を含む
請求項６から１０のいずれか一項に記載の装置。
【請求項１２】
前記プロセッサ回路は、前記ＰＨＲ情報の前記送信を制御すべく、情報エレメントを生成し、前記送信回路に、前記情報エレメントの生成に応答して前記信号を送信させる
請求項６から１１のいずれか一項に記載の装置。
【請求項１３】
前記情報エレメントは、前記マスタセルグループに関連付けられられた周期ＰＨＲタイマフィールドと、前記セカンダリセルグループに関連付けられたＰＨＲタイマフィールドと、前記マスタセルグループに関連付けられた禁止タイマフィールドと、前記セカンダリセルグループに関連付けられた禁止タイマフィールドとを含むＭＡＣ−ＭａｉｎＣｏｎｆｉｇ情報エレメントを有する
請求項１２に記載の装置。
【請求項１４】
前記情報エレメントは、マスタセルグループパスロス変化フィールド、および、セカンダリセルグループパスロス変化フィールドを有する
請求項１３に記載の装置。
【請求項１５】
ユーザ機器（ＵＥ）に含まれる装置であって、
前記装置は、
送信回路と、
前記送信回路に連結されたプロセッサ回路とを備え、前記プロセッサ回路は、マスタセルグループの第１のｅＮＢによって提供された第１の無線プライマリセル（第１の無線ＰＣｅｌｌ）上と、セカンダリセルグループの第２のｅＮＢによって提供された第２の無線ＰＣｅｌｌ上とで同時に動作し、
前記第１の無線ＰＣｅｌｌに関連付けられた電力ヘッドルーム値（ＰＨＲ値）と、前記第２の無線ＰＣｅｌｌに関連付けられたＰＨＲ値とを計算し、
前記プロセッサ回路は、媒体アクセス制御制御要素（ＭＡＣ制御要素）を生成し、
前記ＭＡＣ制御要素は、
前記第１の無線ＰＣｅｌｌに関連付けられた前記ＰＨＲ値を含む１または複数の第１のオクテットと、前記第２の無線ＰＣｅｌｌに関連付けられた前記ＰＨＲ値を含む１または複数の第２のオクテットと、を有し、
前記プロセッサ回路は、前記送信回路に、前記ＭＡＣ制御要素を、前記第１のｅＮＢおよび前記第２のｅＮＢのうちの少なくとも１つに送信させる
装置。
【請求項１６】
前記１または複数の第１のオクテットは、第１の物理アップリンク制御チャネル送信電力（第１のＰＵＣＣＨ送信電力）に基づいて前記第１の無線ＰＣｅｌｌに関連付けられた前記ＰＨＲ値を示す第１のタイプ２ＰＨＲフィールドを含み、
前記１または複数の第２のオクテットは、第２のＰＵＣＣＨ送信電力に基づいて前記第２の無線ＰＣｅｌｌに関連付けられた前記ＰＨＲ値を示す第２のタイプ２ＰＨＲフィールドを含む、
請求項１５に記載の装置。
【請求項１７】
前記１または複数の第１のオクテットは、第１の物理アップリンク共有チャネル送信電力（第１のＰＵＳＣＨ送信電力）に基づいて前記第１の無線ＰＣｅｌｌに関連付けられた前記ＰＨＲ値を示す第１のタイプ１ＰＨＲフィールドを含み、
前記１または複数の第２のオクテットは、第２のＰＵＳＣＨ送信電力に基づいて前記第２の無線ＰＣｅｌｌに関連付けられた前記ＰＨＲ値を示すタイプ１ＰＨＲフィールドを含む、
請求項１６に記載の装置。
【請求項１８】
前記１または複数の第１のオクテットは、前記第１の無線ＰＣｅｌｌの最大出力電力を示す第１のＰＣＭＡＸ，ｃフィールドを含み、
前記１または複数の第２のオクテットは、前記第２の無線ＰＣｅｌｌの最大出力電力を示す第２のＰＣＭＡＸ，ｃフィールドを含む、
請求項１５から１７のいずれか一項に記載の装置。
【請求項１９】
前記プロセッサ回路は、前記ＭＡＣ制御要素の送信の時間を特定すべく、１より多い周期ＰＨＲタイマを監視する
請求項１５から１８のいずれか一項に記載の装置。
【請求項２０】
前記プロセッサ回路は、前記送信回路に、前記ＭＡＣ制御要素を、前記第１のｅＮＢへ送信させる
請求項１５から１９のいずれか一項に記載の装置。
【請求項２１】
前記プロセッサ回路は、前記送信回路に、前記ＭＡＣ制御要素を、前記第２のｅＮＢへ送信させる
請求項１５から２０のいずれか一項に記載の装置。
【請求項２２】
コンピューティングデバイス実行可能な命令を備える１または複数の非一時的コンピュータ可読媒体であって、前記命令は、プロセッサによる実行に応じて、前記プロセッサに、
デュアルコネクティビティに対するＰＨＲ情報の送信の時間を特定すべく、ユーザ機器（ＵＥ）により使用される１より多い周期電力ヘッドルームタイマ（周期電力ＰＨＲタイマ）のうちの少なくとも１つに対応する少なくとも１つの期間を決定する手順と、
送信回路に、前記少なくとも１つの期間に基づいて、少なくとも１つの値を含む信号を前記ＵＥへ送信させる手順と、
前記信号の送信に応答して、媒体アクセス制御制御要素（ＭＡＣ制御要素）を含む受信した通信を特定する手順であって、前記ＭＡＣ制御要素は、第１の進化型ノードＢ（第１のｅＮＢ）に対応するマスタセルグループの第１の無線プライマリセル（第１の無線ＰＣｅｌｌ）に関連付けられたＰＨＲ値を含む、前記マスタセルグループに関連付けられた１または複数の第１のオクテットと、異なる第２のｅＮＢに対応するセカンダリセルグループの第２の無線ＰＣｅｌｌに関連付けられたＰＨＲ値を含む、前記セカンダリセルグループに関連付けられた１または複数の第２のオクテットと、を含む、手順とを実行させる
非一時的コンピュータ可読媒体。
【請求項２３】
前記１または複数の第１のオクテットは、第１の物理アップリンク制御チャネル送信電力（第１のＰＵＣＣＨ送信電力）に基づいて前記第１の無線ＰＣｅｌｌに関連付けられた前記ＰＨＲ値を示す第１のタイプ２ＰＨＲフィールドを含み、
前記１または複数の第２のオクテットは、第２のＰＵＣＣＨ送信電力に基づいて前記第２の無線ＰＣｅｌｌに関連付けられた前記ＰＨＲ値を示す第２のタイプ２ＰＨＲフィールドを含む、
請求項２２に記載の非一時的コンピュータ可読媒体。
【請求項２４】
前記１または複数の第１のオクテットは、第１の物理アップリンク共有チャネル送信電力（第１のＰＵＳＣＨ送信電力）に基づいて前記第１の無線ＰＣｅｌｌに関連付けられた前記ＰＨＲ値を示す第１のタイプ１ＰＨＲフィールドを含み、
前記１または複数の第２のオクテットは、第２のＰＵＳＣＨ送信電力に基づいて前記第２の無線ＰＣｅｌｌに関連付けられた前記ＰＨＲ値を示すタイプ１ＰＨＲフィールドを含む、
請求項２３に記載の非一時的コンピュータ可読媒体。
【請求項２５】
前記１または複数の第１のオクテットは、前記第１の無線ＰＣｅｌｌの最大出力電力を示す第１のＰＣＭＡＸ，ｃフィールドを含み、
前記１または複数の第２のオクテットは、前記第２の無線ＰＣｅｌｌの最大出力電力を示す第２のＰＣＭＡＸ，ｃフィールドを含む、
請求項２３に記載の非一時的コンピュータ可読媒体。
【請求項２６】
前記命令は、前記プロセッサに、さらに、前記ＰＨＲ値のうちの少なくとも１つを、前記第１のｅＮＢから前記第２のｅＮＢへ、Ｘ２インターフェースを介して送信させる
請求項２２から２５のいずれか一項に記載の非一時的コンピュータ可読媒体。
【外国語明細書】
2019017092000001.pdf